(57)【要約】【課題】  濾過器からの清浄水を、複数のノズルを設けたシャワー管を通して水槽内にお戻すようにしたものにおいて、シャワー管を濾過器に連結したまま、シャワー管の内面を清掃できるようにした。【解決手段】  水槽用濾過器のシャワー管清掃具であって、シャワー管５内に摺動自在に設けられる清掃子１０に、シャワー管５内を通る操作棒１１を連結し、この操作棒１１の自由端に摘子１２を固定し、摘子１２の押圧、引張により清掃子１０の往復摺動させシャワー管５内の異物を掻き取る。【選択図】      図３
2010022229.tif 000002
【特許請求の範囲】
【請求項１】
水槽（Ｖ）内の未清浄水を濾過器（Ｆ）内に吸引し、その濾過器（Ｆ）で濾過した後の清浄水を、濾過器（Ｆ）の吐出口（４）に接続したシャワー管（５）を通して水槽（Ｖ）内に戻すようにした、水槽用濾過器のシャワー管清掃具であって、
基端が前記吐出口（４）に接続され、先端が端壁（８）により閉鎖された前記シャワー管（５）内に摺動自在に設けられる清掃子（１０）と、清掃子（１０）に一端が連結されてシャワー管（５）内を通り自由端がシャワー管（５）の端壁（８）を通って外部に突出される操作棒（１１）と、この操作棒（１１）の自由端に固定される摘子（１２）とよりなり、前記清掃子（１０）の往復摺動によりシャワー管（５）内に付着する異物を掻き取るようにしたことを特徴とする、水槽用濾過器のシャワー管清掃具。
【請求項２】
前記清掃子（１０）は、円筒体よりなり、その内径は、濾過器（Ｆ）の吐出口（４）とシャワー管（５）とを接続するジョイント管（７）の内径と略等しくしてあることを特徴とする、前記請求項１記載の水槽用濾過器のシャワー管清掃具。
【請求項３】
前記清掃子（１０）に連結される前記操作棒（１１）は、前記シャワー管（５）内の中心軸線上を通り、シャワー管（５）の端壁（８）を貫通して前記摘子（１２）に連結され、この摘子（１２）と端壁（８）との間には、それら間を水密に封緘するシール（Ｓ）が設けられていることを特徴とする、前記請求項1 または２記載の水槽用濾過器のシャワー管清掃具。
【発明の詳細な説明】
【技術分野】
【０００１】
本発明は、観賞魚の飼育用水槽に設けられて、水槽内の未清浄水を濾過する濾過器に接続されるシャワー管清掃具に関する。
【背景技術】
【０００２】
従来、水槽内で、金魚、熱帯魚、海水魚などの観賞魚の飼育用水槽内の未浄化水を濾過するようにした濾過器において、その濾過器からの清浄水をシャワー管を通して水槽内に戻すようにしたものにおいて、シャワー管内に設けた清掃ブラシを摺動させて、シャワー管内を清掃するようにした清掃装置は公知である（後記特許文献１参照）。
【特許文献１】特開２００４−２４３２５７号公報
【発明の開示】
【発明が解決しようとする課題】
【０００３】
ところが、前記特許文献１のものでは、シャワー管２１の内部に清掃ブラシ５５を、またその外部にスライダ５６をそれぞれ摺動自在に設け、それらをシャワー管２１の外に設けた左右の操作索条５９，６０により連結し、スライダ５６を左右に往復摺動させることにより、左右の操作索条５９，６０を介して清掃ブラシ５５を往復摺動させて、シャワー管２１の内面をブラシング清掃するようにしているので、この従来の清掃装置は、基端が濾過器の吐出口に接続され、先端が端壁により閉じられたシャワー管には実施することができない上に、全体の構造が複雑でコスト高になり、また、シャワー管の外に設けられる操作索条の円滑な作動が妨げられたり、その切損を招いたりして、耐久性、信頼性に乏しいという課題があった。
【０００４】
本発明は、かかる実情に鑑みてなされたもので、前記課題を解決した、新規な水槽用濾過装置のシャワー管清掃具を提供することを目的とする。
【課題を解決するための手段】
【０００５】
前記目的達成のため、本請求項１の発明は、水槽内の未清浄水を濾過器内に吸引し、その濾過器で濾過した後の清浄水を、濾過器の吐出口に接続したシャワー管を通して水槽内に戻すようにした、水槽用濾過装置のシャワー管清掃装置であって、
基端が前記吐出口に接続され、先端が端壁により閉鎖された前記シャワー管内に摺動自在に設けられる清掃子と、清掃子に一端が連結されてシャワー管内を通り自由端がシャワー管の端壁を通って外部に突出される操作棒と、この操作棒の自由端に固定される摘子とよりなり、前記清掃子の往復摺動によりシャワー管内に付着する異物を掻き取るようにしたことを特徴としている。
【０００６】
前記目的達成のため、本請求項２の発明は、前記請求項１のものにおいて、前記清掃子は、円筒体よりなり、その内径は、濾過器の吐出口とシャワー管とを接続するジョイント管の内径と略等しくしてあることを特徴としている。
【０００７】
前記目的達成のため、本請求項３の発明は、前記請求項１または２記載のものにおいて、前記清掃子に連結される前記操作棒は、前記シャワー管内の中心軸線上を通り、シャワー管の端壁を貫通して前記摘子に連結され、この摘子と端壁との間には、それら間を水密に封緘するシールが設けられていることを特徴としている。
【発明の効果】
【０００８】
請求項各項の発明によれば、シャワー管を濾過器に連結したまま、摘子の押圧、引張をくりかえすだけでシャワー管内面の清掃ができる。清掃具は、清掃子、操作棒および摘子より構成され構造が簡単で低コストであり、シャワー管の外周には、可動部が存在しないので、耐久性、信頼性に優れている。
【０００９】
また、請求項２の発明によれば、清掃子とジョイント管との内径を略等しくしてあるので、シャワー管を流れる水の流動抵抗を低減できる。
【００１０】
さらに、請求項３の発明によれば、摘子とシャワー管の端壁との間には、それら間を水密に封緘するシールが設けられるので、シャワー管からの水漏れがない。
【発明を実施するための最良の形態】
【００１１】
以下、本発明の実施の形態を添付図面に示した本発明の実施例に基づいて説明する。
【００１２】
図１は、本発明シャワー管清掃具を備えた濾過装置を水槽内にセットした状態を示す斜視図、図２は、図１の２矢視拡大図、図３は、図２の３矢視図、図４は、図３の４−４線に沿う断面図、図５は、清掃具を引張した状態の図４と同じ断面図、図６は、清掃具の作用を示す図である。
【００１３】
まず、図１〜３を参照して、本発明にかかる清掃具の設けられる濾過器Ｆについて説明すると、この濾過器Ｆは、基本的には従来のものと同じ構造を備えており、横断面三角形状の上下方向に長い三角筒状に形成されていて、２つ割りの濾過ケース１を備え、その上部に水中ポンプ２が設けられ、水槽Ｖ内のコーナー部に吸盤Ａにより着脱可能に取り付けられる。濾過器Ｆの下部には、水中ポンプ２の吸込側に連通されて水槽Ｖ内に開口する吸込口３が設けられ、またその上部に、水中ポンプ２の吐出側に連通する吐出口４が設けられ、その吐出口４には、放水管６が、鉛直軸回りに回動可能に接続されており、この放水管６にジョイント管７を介してシャワー管５が着脱可能に接続される。前記濾過ケース１の濾過室内には濾材が収容されている。そして、前記水中ポンプ２の駆動によれば、水槽Ｖ内の未清浄水は、吸込口３より濾過器Ｆ内に入り、濾材を通って濾過されたのち、吐出口４よりシャワー管５を通って水槽Ｖ内に戻される。
【００１４】
つぎに、図１〜３に、図４，５を参照して本発明にかかるシャワー管の清掃具の構造について説明する。
【００１５】
シャワー管５は、透明な硬質合成樹脂材により中空の円筒状に形成されており、その基端が開口されてジョイント管７を介して放水管６に着脱可能に連結され、またその先端は端壁８により閉じられている。図３の最も明瞭に示すように、シャワー管５には、そのシャワー管５内に連通する複数のノズル９…が、その長手方向に沿い略等間隔をあけて列設されており、これらのノズル９のシャワー管５への接続端は、シャワー管５の内面に対して直角とされている。シャワー管５内には、清掃子１０が往復摺動自在に嵌合されている。この清掃子１０は、硬質の合成樹脂材により中空の短円筒状に形成されており、その両端面はその外周面に対して直角であって、その周縁に断面直角な、異物を掻き落とすためのエッジＥが形成されている。またこの清掃子１０の内径は、前記ジョイント管７の内径と略等しくされていて、放水管６を流れる水が抵抗少なくシャワー管５へ流れるようにされている。
【００１６】
清掃子１０の内面には、操作棒１１の一端が固定されている。この操作棒１１は、その固定端より屈曲されて前記シャワー管５内をその中心線に沿うようにストレートに延長されており、前記端壁８の中心孔８Ｂを貫通してその自由端が、シャワー管５より外部に延出され、そこに球状の摘子１２が固定されている。この摘子１２を、シャワー管５に向けて押圧すれば、図３，５に示すように、操作棒１１は、シャワー管５内を、その中心線上に沿って内方に移動して清掃子１０を内方に向けて摺動させることができ、またシャワー管５から離れるように引張すれば、図５に示すように、シャワー管５内を、その中心線上に沿って外方に移動して清掃子１０を外方に向けて摺動させることができ。端壁８の外端には環状の凹部８Ａが形成され、一方、摘子１２の内端には、前記凹部８Ａに水密に嵌合し得る環状の突部１２Ａが形成されていて、図４に示すように、清掃子１０が最も内方に押し込まれたとき、すなわち清掃具Ｃが格納されたとき、突部１２Ａは、凹部８Ａに水密に嵌合して、シャワー管５内の水が外部に漏出しないようにされ、前記凹部８Ａと突部１２Ａとで、シールＳが形成される。
【００１７】
つぎに、図６を参照して、清掃具Ｃの作用について説明する。
【００１８】
濾過器Ｆの通常の使用時には、図６（Ａ）に示すように、摘子１２は、シャワー管５の先端に水密に嵌合されて清掃具Ｃは、シャワー管５内の格納されている。水中ポンプの駆動により濾過器Ｆが運転されると、濾過器Ｆにより濾過された清浄水は、放水管６よりジョイント管７と通ってシャワー管５内に入り、そこから複数のノズル９…を通って水槽Ｖ内に噴射される。このとき、放水管６を回動させ、あるいはシャワー管５自体をジョイント管７回りに回動させることでノズル９…の噴口位置を変更することができる。
【００１９】
ところで、濾過器Ｆの運転継続により、シャワー管５を流れる水の中に混入している苔、藻、ゴミや、シャワー管５が透明なことからその内部に繁殖した苔、藻などの異物がシャワー管５の内部に次第に付着、堆積して複数のノズル９…からの円滑な噴出が妨げられ、あるいはシャワー管５が前記異物により汚損されたときは、図６（Ｂ）（Ｃ）に示すように、摘子１２を把持して清掃具Ｃをシャワー管５に対して押圧、引張をくりかえせば、清掃子１０は、シャワー管５内を往復摺動して、そのエッジＥによりシャワー管５の内面に付着、堆積する異物を掻き取って、取り除くことができる。そして掻き取られて微細化した異物は、ノズル９…を通って外部に排出される。
【００２０】
以上の清掃操作が終わったら、清掃具Ｃは、図６（Ａ）に示す格納位置に戻す。
【００２１】
以上本発明の実施例について説明したが、本発明はその実施例に限定されることなく、本発明の範囲内で種々の実施例が可能である。
【００２２】
たとえば、前記実施例では、水槽内のコーナに取り付けられる内部式濾過器に本発明を実施した場合を説明したが、本発明を他の濾過装置にも実施できることは勿論である。
【図面の簡単な説明】
【００２３】
【図１】本発明シャワー管清掃具を備えた濾過装置を水槽内にセットした状態を示す斜視図
【図２】図１の２矢視拡大図
【図３】図２の３矢視図
【図４】図３の４−４線に沿う断面図
【図５】清掃具を引張した状態の図４と同じ断面図
【図６】清掃具の作用を示す図
【符号の説明】
【００２４】
４・・・・・・・・・・・吐出口
５・・・・・・・・・・・シャワー管
７・・・・・・・・・・・ジョイント管
８・・・・・・・・・・・端壁
１０・・・・・・・・・・・清掃子
１１・・・・・・・・・・・操作棒
１２・・・・・・・・・・・摘子
Ｆ・・・・・・・・・・・濾過器
Ｓ・・・・・・・・・・・シール
Ｖ・・・・・・・・・・・水槽
【図１】
2010022229.tif 000003
【図２】
2010022229.tif 000004
【図３】
2010022229.tif 000005
【図４】
2010022229.tif 000006
【図５】
2010022229.tif 000007
【図６】
2010022229.tif 000008